(57)【要約】  本開示は、サイドリンク情報伝送方法及び端末を開示しており、当該方法は、サイドリンク制御情報ＳＣＩを受信することと、ＳＣＩにより指示されたサイドリンク伝送識別子に従って、物理サイドリンク共有チャネルＰＳＳＣＨを受信又は復調するかどうかを確定することとを含む。
2021532690.tif 000002
【特許請求の範囲】
【請求項１】
第一端末側に適用されるサイドリンク情報伝送方法であって、
サイドリンク制御情報（ＳＣＩ）を受信することと、
前記ＳＣＩにより指示されたサイドリンク伝送識別子に従って、物理サイドリンク共有チャネル（ＰＳＳＣＨ）を受信又は復調するかどうかを確定することとを含む、サイドリンク情報伝送方法。
【請求項２】
前記サイドリンク伝送識別子には、送信端識別子、受信端識別子、ブロードキャスト識別子、マルチキャスト識別子及びユニキャスト識別子のうち、少なくとも１つが含まれる、請求項１に記載のサイドリンク情報伝送方法。
【請求項３】
前記ＳＣＩにより指示されたサイドリンク伝送識別子に従って、物理サイドリンク共有チャネルＰＳＳＣＨを受信又は復調するかどうかを確定することは、
前記ＳＣＩにより指示された送信端識別子がターゲット送信端識別子の場合、前記ＰＳＳＣＨを受信又は復調することと、
前記ＳＣＩにより指示された受信端識別子がターゲット受信端識別子の場合、前記ＰＳＳＣＨを受信又は復調することと、
前記ＳＣＩがブロードキャスト識別子を指示している場合、前記ＰＳＳＣＨを受信又は復調することと、
前記ＳＣＩにより指示されたマルチキャスト識別子がターゲットマルチキャスト識別子の場合、前記ＰＳＳＣＨを受信又は復調することと、
前記ＳＣＩにより指示されたユニキャスト識別子がターゲットユニキャスト識別子の場合、前記ＰＳＳＣＨを受信又は復調することとのうち、１つを含む、請求項２に記載のサイドリンク情報伝送方法。
【請求項４】
前記サイドリンク伝送識別子は、前記ＳＣＩの指示フィールドに搬送されているか、或いは、前記サイドリンク伝送識別子は、前記ＳＣＩのスクランブル用の巡回冗長チェック（ＣＲＣ）である、請求項１に記載のサイドリンク情報伝送方法。
【請求項５】
前記指示フィールドには、
前記サイドリンク伝送識別子における少なくとも一部のビットによって形成された第一指示フィールドと、
所定ルールに従って構築された所定ビット数の第二指示フィールドとのうち、１つが含まれる、請求項４に記載のサイドリンク情報伝送方法。
【請求項６】
前記第二指示フィールドは、前記サイドリンク伝送識別子に従って確定されたものであるか、或いは、前記第二指示フィールドは、前記サイドリンク伝送識別子のマッピング情報に従って確定されたものである、請求項５に記載のサイドリンク情報伝送方法。
【請求項７】
サイドリンク制御情報ＳＣＩを受信することの後には、
マスクで前記第二指示フィールドのマッチングを行って、前記ＰＳＳＣＨを受信又は復調するかどうかを確定することを更に含む、請求項５に記載のサイドリンク情報伝送方法。
【請求項８】
前記指示フィールドは、応答情報と、ハイブリッド自動再送要求（ＨＡＲＱ）プロセス番号と、リソース割当と、変調及び符号化スキーム（ＭＣＳ）とのうち、少なくとも１つを指示するために更に用いられる、請求項４に記載のサイドリンク情報伝送方法。
【請求項９】
前記ＳＣＩにより指示されたサイドリンク伝送識別子に従って、物理サイドリンク共有チャネルＰＳＳＣＨを受信又は復調するかどうかを確定することの後には、
前記ＰＳＳＣＨを受信又は復調しないことを確定した場合、前記ＳＣＩによりスケジュール又は予約されたリソースに従って、リソース検知及び／又はリソース予約を行うこと、
又は、
前記ＰＳＳＣＨを受信又は復調することを確定した場合、ＰＳＳＣＨの処理結果に従って、応答情報をフィードバックすることを更に含む、請求項１に記載のサイドリンク情報伝送方法。
【請求項１０】
第一端末となる端末であって、
サイドリンク制御情報（ＳＣＩ）を受信するための受信モジュールと、
前記ＳＣＩにより指示されたサイドリンク伝送識別子に従って、物理サイドリンク共有チャネル（ＰＳＳＣＨ）を受信又は復調するかどうかを確定するための第一処理モジュールとを含む、端末。
【請求項１１】
第二端末側に適用されるサイドリンク情報伝送方法であって、
サイドリンク伝送識別子を指示するためのサイドリンク制御情報（ＳＣＩ）を送信することを含む、サイドリンク情報伝送方法。
【請求項１２】
前記サイドリンク伝送識別子は、レイヤ２識別子、アプリケーションレイヤ識別子及びアドレス識別子のうち、少なくとも１つにおける少なくとも一部のビットに従って確定されたものである、請求項１又は１１に記載のサイドリンク情報伝送方法。
【請求項１３】
前記サイドリンク伝送識別子は、上位レイヤにより設定されたもの、ネットワーク機器により設定されたもの、又は、事前定義されたものである、請求項１又は１１に記載のサイドリンク情報伝送方法。
【請求項１４】
前記サイドリンク伝送識別子は、前記ＳＣＩにより指示されたターゲット情報に対応しており、前記ターゲット情報には、リソース割当情報、ビーム伝送モード情報、及び復調用参照信号（ＤＲＭＳ）情報のうち、少なくとも１つが含まれる、請求項１又は１１に記載のサイドリンク情報伝送方法。
【請求項１５】
前記ビーム伝送モードには、シングルビーム伝送、マルチビーム伝送及びビーム走査のうち、少なくとも１つが含まれる、請求項１４に記載のサイドリンク情報伝送方法。
【請求項１６】
前記サイドリンク伝送識別子には、送信端識別子、受信端識別子、ブロードキャスト識別子、マルチキャスト識別子及びユニキャスト識別子のうち、少なくとも１つが含まれる、請求項１１に記載のサイドリンク情報伝送方法。
【請求項１７】
前記サイドリンク伝送識別子は、前記ＳＣＩの指示フィールドに搬送されているか、或いは、前記サイドリンク伝送識別子は、前記ＳＣＩのスクランブル用の巡回冗長チェック（ＣＲＣ）である、請求項１１に記載のサイドリンク情報伝送方法。
【請求項１８】
前記指示フィールドには、
前記サイドリンク伝送識別子における少なくとも一部のビットによって形成された第一指示フィールドと、
所定ルールに従って構築された所定ビット数の第二指示フィールドとのうち、１つが含まれる、請求項１７に記載のサイドリンク情報伝送方法。
【請求項１９】
前記第二指示フィールドは、前記サイドリンク伝送識別子に従って確定されたものであるか、或いは、前記第二指示フィールドは、前記サイドリンク伝送識別子のマッピング情報に従って確定されたものである、請求項１８に記載のサイドリンク情報伝送方法。
【請求項２０】
前記指示フィールドは、応答情報と、ハイブリッド自動再送要求（ＨＡＲＱ）プロセス番号と、リソース割当と、変調及び符号化スキーム（ＭＣＳ）とのうち、少なくとも１つを指示するために更に用いられる、請求項１７に記載のサイドリンク情報伝送方法。
【請求項２１】
第二端末となる端末であって、
サイドリンク伝送識別子を指示するためのサイドリンク制御情報（ＳＣＩ）を送信するための送信モジュールを含む、端末。
【請求項２２】
プロセッサと、メモリと、前記メモリに記憶されて前記プロセッサ上で動作するコンピュータプログラムとを含み、前記コンピュータプログラムが前記プロセッサによって実行されると、請求項１〜９、１１〜２０の何れか一項に記載のサイドリンク情報伝送方法が実現される、端末。
【請求項２３】
コンピュータプログラムを記憶した記憶媒体であって、前記コンピュータプログラムがプロセッサによって実行されると、請求項１〜９、１１〜２０の何れか一項に記載のサイドリンク情報伝送方法が実現される、コンピュータ読取可能な記憶媒体。
【発明の詳細な説明】
【技術分野】
【０００１】
関連出願の相互参照
本願は、２０１８年８月３日に中国で出願された中国特許出願第２０１８１０８７９３９８．９号の優先権を主張し、その内容の全ては、参照により本願に組み込まれる。
【０００２】
本開示は、通信の技術分野に関し、特に、サイドリンク情報伝送方法及び端末に関する。
【背景技術】
【０００３】
長期進化（Ｌｏｎｇ  Ｔｅｒｍ  Ｅｖｏｌｕｔｉｏｎ、ＬＴＥ）移動通信システムにおいて、サイドリンク（ｓｉｄｅｌｉｎｋ）は、セカンダリリンク、ＳＬ等とも呼ばれ、端末間のネットワーク機器を介しない直接伝送に用いられる。そのうち、端末は、データ送信のために、物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）を介してサイドリンク制御情報（Ｓｉｄｅｌｉｎｋ  Ｃｏｎｔｒｏｌ  Ｉｎｆｏｒｍａｔｉｏｎ、ＳＣＩ）を送信し、物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）の伝送をスケジュールしている。そのうち、サイドリンクの伝送は、ブロードキャストに基づいて行われており、端末は、物理レイヤでポイントツーポイント接続を確立していない。受信端からすれば、物理レイヤで伝送されるＳＣＩに如何なる送信端又は受信端の指示も含まれていないし、ユニキャスト、マルチキャスト（グループキャストとも呼ばれる）及びブロードキャストＰＳＳＣＨを区別していないため、端末は、受信された全てのデータを復調してから、上位レイヤにより区別させてレスポンス処理するしかできず、例えば、メディアアクセスコントロール（Ｍｅｄｉｕｍ  Ａｃｃｅｓｓ  Ｃｏｎｔｒｏｌ、ＭＡＣ）レイヤのレイヤ２識別子（Ｌａｙｅｒ  ２  Ｉｄｅｎｔｉｔｙ、Ｌ２  ＩＤ）によって、自分宛ではないユニキャストデータを確定して廃棄する。このように、受信された全てのデータを復調してから自分宛以外のデータを廃棄することは、端末の処理エネルギー消費を増加させ、端末の処理能力を無駄にしている。
【発明の概要】
【発明が解決しようとする課題】
【０００４】
本開示の実施例は、サイドリンク伝送中に端末の処理エネルギー消費が高いという課題を解決するためのサイドリンク情報伝送方法及び端末を提供している。
【課題を解決するための手段】
【０００５】
第一態様において、本開示の実施例は、第一端末側に適用されるサイドリンク情報伝送方法であって、
サイドリンク制御情報ＳＣＩを受信することと、
ＳＣＩにより指示されたサイドリンク伝送識別子に従って、物理サイドリンク共有チャネルＰＳＳＣＨを受信又は復調するかどうかを確定することとを含む、サイドリンク情報伝送方法を提供している。
【０００６】
第二態様において、本開示の実施例は、第一端末となる端末であって、
サイドリンク制御情報ＳＣＩを受信するための受信モジュールと、
ＳＣＩにより指示されたサイドリンク伝送識別子に従って、物理サイドリンク共有チャネルＰＳＳＣＨを受信又は復調するかどうかを確定するための第一処理モジュールとを含む、端末を更に提供している。
【０００７】
第三態様において、本開示の実施例は、第二端末側に適用されるサイドリンク情報伝送方法であって、
サイドリンク伝送識別子を指示するためのサイドリンク制御情報ＳＣＩを送信することを含む、サイドリンク情報伝送方法を提供している。
【０００８】
第四態様において、本開示の実施例は、第二端末となる端末であって、
サイドリンク伝送識別子を指示するためのサイドリンク制御情報ＳＣＩを送信するための送信モジュールを含む、端末を提供している。
【０００９】
第五態様において、本開示の実施例は、プロセッサと、メモリと、メモリに記憶されてプロセッサ上で動作するコンピュータプログラムとを含み、コンピュータプログラムがプロセッサによって実行されると、上記第一端末側又は第二端末側のサイドリンク情報伝送方法が実現される、端末を提供している。
【００１０】
第六態様において、本開示の実施例は、コンピュータプログラムを記憶した記憶媒体であって、コンピュータプログラムがプロセッサによって実行されると、上記第一端末側又は第二端末側のサイドリンク情報伝送方法が実現される、コンピュータ読取可能な記憶媒体を更に提供している。
【発明の効果】
【００１１】
このように、本開示の実施例において、上記技術案を用いることにより、受信側の端末は、サイドリンク伝送識別子に従って、ＳＣＩに対応するＰＳＳＣＨを受信又は復調する必要があるかどうかを確定可能となり、ＰＳＳＣＨを毎回受信又は復調する必要がなくなり、端末の処理エネルギー消費を低減し、処理能力を節約することができる。
【図面の簡単な説明】
【００１２】
本開示の実施例の技術案をより明瞭に説明するために、以下、本開示の実施例の説明に必要な図面を簡単に説明するが、明らかなことに、以下で説明される図面は、あくまでも本開示のいくつかの実施例であり、当業者にとっては、創造的な労働を払わずに、これらの図面に基づいて他の図面を得ることができる。
【００１３】
【図１】図１は、本開示の実施例に係る第一端末のサイドリンク情報伝送方法のフロー模式図を示す。
【図２】図２は、本開示の実施例に係る第一端末のモジュール構造模式図である。
【図３】図３は、本開示の実施例に係る第二端末のサイドリンク情報伝送方法のフロー模式図である。
【図４】図４は、本開示の実施例に係る第二端末のモジュール構造模式図である。
【図５】図５は、本開示の実施例に係る端末のブロック図である。
【発明を実施するための形態】
【００１４】
以下、図面を参照しながら、本開示の例示的な実施例をより詳しく説明する。本開示の例示的な実施例が図面に示されているが、本開示は、様々な形態で実現可能であり、本明細書に記載の実施例によって制限されないことを理解されたい。むしろ、これらの実施例は、本開示をより徹底的に理解可能にするとともに、本開示の範囲を当業者に完全に伝えることを可能にするために提供されている。
【００１５】
本願の明細書及び特許請求の範囲における「第一」、「第二」などの用語は、類似しているオブジェクトを区別するために使用されるものであり、必ずしも特定の順序や前後順番を記述するために使用されるとは限らない。そのように使用されるデータは、適切な状況において互いに交換可能で、それによって、本明細書において記述される本願の実施例は、例えば、本明細書において図示又は記述される順序以外の順序で実施可能であることを理解されたい。また、用語「含む」及び「有する」、並びにそれらのあらゆる変体は、非排他的な包含をカバーするものであり、例えば、一連のステップやユニットを含む手順、方法、システム、製品や機器は、明示的に列挙されているこれらのステップやユニットのみを含むことに限定されず、明示的に列挙されていない他のステップやユニット、或いは、これらの手順、方法、製品や機器固有の他のステップやユニットを含んでもよい。なお、明細書及び特許請求の範囲における「及び／又は」とは、接続対象のうち、少なくとも１つを表すものである。
【００１６】
本開示の実施例は、第一端末側に適用されるサイドリンク情報伝送方法を提供しており、図１に示すように、当該方法は、以下のステップ１１及びステップ１２を含む。
【００１７】
ステップ１１：サイドリンク制御情報ＳＣＩを受信する。
【００１８】
そのうち、ＳＣＩは、第二端末から送信されたものであり、この際、第一端末は受信側端末とされ、第二端末は送信側端末とされる。当業者であれば理解できるように、第一端末は、データ送信の必要がある場合、送信側端末とされてもよく、第二端末は受信側端末とされてもよい。本開示の実施例において、ＳＣＩは、サイドリンク伝送識別子を指示するためのものであり、伝送インジケータＩＤとも呼ばれる。
【００１９】
ステップ１２：ＳＣＩにより指示されたサイドリンク伝送識別子に従って、物理サイドリンク共有チャネルＰＳＳＣＨを受信又は復調するかどうかを確定する。
【００２０】
そのうち、サイドリンク伝送識別子は、上位レイヤにより設定されたもの、ネットワーク機器により設定されたもの、又は、事前定義されたもの（例えば、プロトコルによって定められたものや、事前設定されたもの）である。サイドリンク伝送識別子は、送信端末又は受信端末の身分情報を指示するために使用可能であり、第一端末の身分情報が送信端末の身分情報とマッチングしている場合、第一端末は、当該ＳＣＩに対応するＰＳＳＣＨには、自分宛の情報が搬送されていると確定し、この際、当該ＳＣＩに対応するＰＳＳＣＨを受信又は復調する必要がある一方で、マッチングしていない場合、エネルギー消費の節約のために、当該ＰＳＳＣＨを無視する。ＳＣＩを送信した端末の身分情報は、第一端末が関心を持つ端末に属する場合、第一端末は、当該ＳＣＩに対応するＰＳＳＣＨを受信又は復調する必要があると確定する一方で、そうでない場合、当該ＰＳＳＣＨを無視する。なお、サイドリンク伝送識別子は、ＳＣＩに対応するＰＳＳＣＨ内で伝送されるデータのタイプ、例えばブロードキャスト、ユニキャストやマルチキャスト等を指示するためにも使用可能である。ブロードキャストデータの場合、第一端末は、当該ＳＣＩに対応するＰＳＳＣＨを受信又は復調する必要があると確定する。ユニキャスト又はマルチキャストデータの場合、もし第一端末がユニキャスト又はマルチキャストの対象に該当すれば、第一端末は、当該ＳＣＩに対応するＰＳＳＣＨを受信又は復調する必要があると確定する一方で、そうでなければ、処理エネルギー消費の節約のために、当該ＰＳＳＣＨを受信又は復調しなくなる。
【００２１】
さらに、サイドリンク伝送識別子には、送信端識別子、受信端識別子、ブロードキャスト識別子、マルチキャスト識別子及びユニキャスト識別子のうち、少なくとも１つが含まれる。そのうち、送信端識別子は、送信側端末識別子であってもよく、受信端識別子は、受信側端末識別子であってもよく、ブロードキャスト識別子は、ＰＳＳＣＨ内に担持されるデータがブロードキャストデータであることを指示するためのものであり、マルチキャスト識別子は、ＰＳＳＣＨに担持されるデータがマルチキャストデータ及び／又はＰＳＳＣＨ担持データの受信グループの端末識別子であることを指示するためのものであり、ユニキャスト識別子は、ＰＳＳＣＨに担持されるデータがユニキャストデータ及び／又はＰＳＳＣＨ担持データの受信側端末識別子であることを指示するためのものである。そのうち、本開示の実施例において、サイドリンク伝送識別子は、レイヤ２識別子（Ｌ２  ＩＤ）、アプリケーションレイヤ識別子、上位レイヤ識別子（上層識別子とも呼ばれる）及びアドレス識別子のうち、少なくとも１つにおける少なくとも一部のビットに従って確定されたものである。例えば、サイドリンク伝送識別子は、２４ビットのＬ２  ＩＤであり、それぞれ受信端識別子及び送信端識別子を指示する。
【００２２】
サイドリンク伝送識別子に搬送される情報が異なれば、ステップ１２の具体的な実現方式が異なり、具体的に、ステップ１２には、以下の１〜５のうち、１つが含まれる。
【００２３】
１、ＳＣＩにより指示された送信端識別子がターゲット送信端識別子の場合、ＰＳＳＣＨを受信又は復調する。このシーンでは、ＳＣＩは、送信端識別子を指示するものであり、もしＳＣＩにより指示された送信端識別子が、ターゲット送信端識別子のうち１つに該当すれば、第一端末は、当該ＳＣＩに対応するＰＳＳＣＨを受信又は復調する。そのうち、ターゲット送信端識別子は、第一端末が関心を持つ端末の身分識別子を指示するためのものである。さらに、ＳＣＩにより指示された送信端識別子がターゲット送信端識別子に該当しなければ、ＳＣＩにより指示された他の情報に従って、ＰＳＳＣＨを受信又は復調するかどうかを確定してもよい。
【００２４】
２、ＳＣＩにより指示された受信端識別子がターゲット受信端識別子の場合、ＰＳＳＣＨを受信又は復調する。このシーンでは、ＳＣＩは、受信端識別子を指示するものであり、もしＳＣＩにより指示された受信端識別子が、ターゲット受信端識別子のうち１つに該当すれば、第一端末は、当該ＳＣＩに対応するＰＳＳＣＨを受信又は復調する。そのうち、ターゲット受信端識別子は、第二端末が所望する受信端末の身分識別子を指示するためのものである。さらに、もしＳＣＩにより指示された受信端識別子がターゲット受信端識別子に該当しなければ、ＳＣＩにより指示された他の情報に従って、ＰＳＳＣＨを受信又は復調するかどうかを確定してもよい。
【００２５】
３、ＳＣＩがブロードキャスト識別子を指示している場合、ＰＳＳＣＨを受信又は復調する。このシーンでは、ＳＣＩは、ブロードキャスト識別子を指示するものであり、この際、第一端末は、当該ＳＣＩに対応するＰＳＳＣＨを受信又は復調する必要がある。さらに、ＳＣＩがブロードキャスト識別子を指示していない場合、ＳＣＩにより指示された他の情報に従って、ＰＳＳＣＨを受信又は復調するかどうかを確定してもよい。
【００２６】
４、ＳＣＩにより指示されたマルチキャスト識別子がターゲットマルチキャスト識別子の場合、ＰＳＳＣＨを受信又は復調する。このシーンでは、ＳＣＩは、マルチキャスト識別子を指示するものであり、もしＳＣＩにより指示されたマルチキャスト識別子が、ターゲットマルチキャスト識別子のうち１つに該当すれば、第一端末は、当該ＳＣＩに対応するＰＳＳＣＨを受信又は復調する。そのうち、ターゲットマルチキャスト識別子は、第一端末が関心を持つ送信端末の身分識別子、及び／又は、第二端末が所望する受信端末の身分識別子を指示するためのものである。さらに、もしＳＣＩにより指示されたマルチキャスト識別子がターゲットマルチキャスト識別子に該当しなければ、ＳＣＩにより指示された他の情報に従って、ＰＳＳＣＨを受信又は復調するかどうかを確定してもよい。
【００２７】
５、ＳＣＩにより指示されたユニキャスト識別子がターゲットユニキャスト識別子の場合、ＰＳＳＣＨを受信又は復調する。このシーンでは、ＳＣＩは、ユニキャスト識別子を指示するものであり、もしＳＣＩにより指示されたユニキャスト識別子が、ターゲットユニキャスト識別子のうち１つに該当すれば、第一端末は、当該ＳＣＩに対応するＰＳＳＣＨを受信又は復調する。そのうち、ターゲットユニキャスト識別子は、第一端末が関心を持つ送信端末の身分識別子、及び／又は、第二端末が所望する受信端末の身分識別子を指示するためのものである。さらに、もしＳＣＩにより指示されたユニキャスト識別子がターゲットユニキャスト識別子に該当しなければ、ＳＣＩにより指示された他の情報に従って、ＰＳＳＣＨを受信又は復調するかどうかを確定してもよい。
【００２８】
そのうち、上記サイドリンク伝送識別子は、ＳＣＩによって明示的に指示されてもよいし、ＳＣＩによって暗黙的に指示されてもよい。以下、本開示の実施例は、これら２つの態様について、サイドリンク伝送識別子の具体的な形態を更に説明する。
【００２９】
方式一、サイドリンク伝送識別子は、ＳＣＩの指示フィールドに搬送されている。
【００３０】
そのうち、当該方式は、明示的な指示方式である。指示フィールドには、サイドリンク伝送識別子における少なくとも一部のビットによって形成された第一指示フィールドと、所定ルールに従って構築された所定ビット数の第二指示フィールドとのうち、１つが含まれる。
【００３１】
そのうち、第一指示フィールドとは、ＳＣＩに搬送されているサイドリンク伝送識別子（例えば送信端識別子、受信端識別子、ブロードキャスト識別子、マルチキャスト識別子及びユニキャスト識別子等）における一部又は全てのビットであり、これらのビットは、ＳＣＩ内の独立した指示フィールドを構成している。
【００３２】
そのうち、第二指示フィールドは、サイドリンク伝送識別子に従って確定されたものである。つまり、第二指示フィールドは、送信端識別子、受信端識別子、ブロードキャスト識別子、マルチキャスト識別子及びユニキャスト識別子等のうち少なくとも１つに従って、固定ビット長の指示フィールドを構築したものである。例えば、第二指示フィールドは、送信端識別子、受信端識別子、ブロードキャスト識別子、マルチキャスト識別子及びユニキャスト識別子等のうち、少なくとも１つにおける一部又は全てのビット（例えば、マルチキャストの受信グループＩＤ及び／又はユニキャストの受信端ＩＤにおける一部又は全てのビット）であるか、或いは、第二指示フィールドは、サイドリンク伝送識別子を入力とし、所定ルールに従って、固定ビット長の指示フィールドを構築したものであり、例えばサイドリンク伝送識別子を入力とし、バイナリ及び／又はハッシュ（ｈａｓｈ）関数に従って、固定ビット長の指示フィールドを構築したものである。
【００３３】
なお、第二指示フィールドは、サイドリンク伝送識別子のマッピング情報に従って確定されたものであってもよい。例えば、端末にマッピング関係テーブルが設定されており、当該マッピング関係テーブル内の項目は、サイドリンク伝送識別子を指示するためのもので、マッピング関係テーブル内に設定された項目に従って、第二指示フィールドが確定され、そのうち、第二指示フィールドのビット値は、当該マッピング関係テーブル内の項目を指示するためのものである。
【００３４】
さらに、当該方式では、サイドリンク制御情報ＳＣＩを受信するステップの後には、マスクで第二指示フィールドのマッチングを行って、ＰＳＳＣＨを受信又は復調するかどうかを確定する。そのうち、ここのマスクは、事前定義されたもの、ネットワーク機器により設定されたもの、第二端末から送信されたもの、又は、第一端末によって自主的に生成されたものであってもよい。第一端末は、マスクで第二指示フィールドのマッチングを行って、ＰＳＳＣＨを受信又は復調するかどうかを確定し、もしマッチングが成功した場合、ＰＳＳＣＨを受信又は復調する必要があると確定する一方で、もしマッチングが失敗した場合、当該ＳＣＩに対応するＰＳＳＣＨを受信又は復調しなくなる。さらに、サイドリンク伝送識別子における一部のビットのみがマスクを構成していれば、ＰＳＳＣＨを受信又は復調するかどうかを確定するためには、ＭＡＣレイヤのＩＤのマッチングを行うことが必要となる。
【００３５】
１つの選択的な実施例において、本開示の実施例における指示フィールド（例えば第一指示フィールド又は第二指示フィールド）は、独立して符号化されてもよいし、共同で符号化されてもよい。上記では、指示フィールドが独立して符号化されるシーンを紹介したが、次に、本実施例は、指示フィールドが共同で符号化されるシーンを更に紹介する。そのうち、指示フィールドが共同で符号化されるものである場合、指示フィールドは、応答情報（例えばＡＣＫ／ＮＡＣＫ）と、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）プロセス番号と、リソース割当と、変調及び符号化スキームＭＣＳとのうち、少なくとも１つを指示するために更に用いられてもよい。つまり、サイドリンク伝送識別子は、応答情報と、ＨＡＲＱプロセス番号と、リソース割当と、変調及び符号化スキームＭＣＳとのうち、少なくとも１つと共同で符号化される。
【００３６】
方式二、サイドリンク伝送識別子は、ＳＣＩのスクランブル用の巡回冗長チェック（Ｃｙｃｌｉｃ  Ｒｅｄｕｎｄａｎｃｙ  Ｃｈｅｃｋ、ＣＲＣ）である。
【００３７】
当該方式も、明示的な指示方式であるが、方式一における独立した指示フィールド方式と異なって、当該方式は、スクランブル方式である。例えば、第一指示フィールド又は第二指示フィールドは、ＳＣＩのスクランブル用のＣＲＣとされることが可能である。
【００３８】
方式三、サイドリンク伝送識別子は、ＳＣＩにより指示されたターゲット情報に対応している。
【００３９】
当該方式は、暗黙的な指示方式であり、サイドリンク伝送識別子は、ＳＣＩにより指示されたターゲット情報で指示される。そのうち、ターゲット情報には、リソース割当情報、ビーム伝送モード情報、及び復調用参照信号（Ｄｅ−Ｍｏｄｕｌａｔｉｏｎ  Ｒｅｆｅｒｅｎｃｅ  Ｓｉｇｎａｌ、ＤＲＭＳ）情報のうち、少なくとも１つが含まれる。例えば、リソース（プール）割当及び／又はビーム伝送モード等は、ユニキャスト、マルチキャスト又はブロードキャストに関連している。そのうち、リソース割当情報には、ＳＣＩが位置するリソースの時間領域、周波数領域、空間領域（ビーム）及びリソースプール等のうち、少なくとも１つの情報が含まれる。このように、検出されたＳＣＩが位置するリソースの時間領域、周波数領域、空間領域（ビーム）、所属リソースプール等に従って、ＰＳＳＣＨ内のデータは、ユニキャスト、マルチキャスト又はブロードキャストであると確定される。さらに、上記ビーム伝送モードには、シングルビーム伝送、マルチビーム伝送及びビーム走査のうち、少なくとも１つが含まれる。
【００４０】
さらに、ステップ１２の後に、当該方法は、ＰＳＳＣＨを受信又は復調しないことを確定した場合、ＳＣＩによりスケジュール又は予約されたリソースに従って、リソース検知（ｓｅｎｓｉｎｇ）及び／又はリソース予約を行うことを更に含む。
【００４１】
或いは、ステップ１２の後に、当該方法は、ＰＳＳＣＨを受信又は復調することを確定した場合、ＰＳＳＣＨの処理結果に従って、応答情報をフィードバックすることを含む。特に、応答フィードバックを送信する必要があるデータについて、物理レイヤは、ＰＳＳＣＨを受信しているとともにＰＳＳＣＨの復調が成功した場合、ＡＣＫをフィードバックする一方で、ＰＳＳＣＨを受信していないか、或いはＰＳＳＣＨの復調が成功しなかった場合、ＮＡＣＫをフィードバックする。このように、第一端末は、ＰＳＳＣＨに対する実際の処理状況に応じて応答情報をフィードバックし、ＰＳＳＣＨの受信及び復調が成功した場合、ＡＣＫをフィードバックして、不要な再送を行う必要がない旨を送信端末へ指示することによって、システムリソースを節約できる。ＰＳＳＣＨの受信又は復調が成功しなかった場合、ＮＡＣＫをフィードバックして、適時に再送を行う旨を送信端末へ指示することによって、処理レイテンシが低減される。
【００４２】
上記では、サイドリンク情報伝送方法の実現方式を簡単に紹介したが、次に、本実施例は、具体的な適用例と併せて更に説明する。
【００４３】
例１
サイドリンク伝送識別子に送信端識別子及び受信端識別子が含まれ、送信端識別子及び受信端識別子は、２４ビットのＬ２  ＩＤで、それぞれ送信側の端末及び受信側の端末を指示するものであるとする。そのうち、第一端末により受信されたＳＣＩに受信端識別子の指示フィールドが含まれ、且つＳＣＩのＣＲＣがスクランブルされない。第一端末は、少なくとも１つのターゲット受信端識別子を取得し、そのうち、ターゲット受信端識別子は、事前定義されたもの又は上位レイヤにより設定されたものであってもよく、ターゲット受信端識別子は、送信側端末（例えば第二端末）が所望するマルチキャスト又はユニキャストの受信端識別子であってもよい。
【００４４】
第一端末により受信されたＳＣＩに搬送されている受信端識別子が、第一端末のターゲット受信端識別子とマッチングしていれば、第一端末は、当該ＳＣＩによりスケジュールされたＰＳＳＣＨの受信及び復調を続行する。第一端末は、当該受信端識別子を上位レイヤ（例えばＭＡＣレイヤ及びアプリケーションレイヤ等）に報告する。応答情報をフィードバックする必要があるユニキャストデータ又はマルチキャストデータ（例えば、応答情報をフィードバックする必要がある旨をＳＣＩにより指示されたユニキャスト又はマルチキャスト）について、第一端末は、物理レイヤで応答情報を符号化してフィードバックする。受信端識別子がターゲット受信端識別子とマッチングしていなければ、第一端末は、当該ＳＣＩによりスケジュールされたＰＳＳＣＨを受信又は復調せず、さらに、当該第一端末に自主リソース選択モードが設定されていれば、第一端末は、当該ＳＣＩのリソース割当又は予約指示に従って、後続のリソース検知及び予約を行ってもよい。
【００４５】
この例によれば、関心を持たないＰＳＳＣＨに対する第一端末の受信及び復調が回避されているため、不要な復調処理が減らされ、エネルギー消費が低減される。そして、ＰＳＳＣＨデータの復調が完了したときに応答情報をフィードバックできるため、不要な再送が回避され、システムリソースの使用率が向上され、さらに、伝送が失敗したデータを適時に再送する旨を送信端へ指示することもできるため、処理レイテンシが低減される。
【００４６】
例２
サイドリンク伝送識別子内の送信端識別子及び受信端識別子は、２４ビットのＬ２  ＩＤで、それぞれ送信側の端末及び受信側の端末を指示するものであるとする。そのうち、第一端末により受信されたＳＣＩのＣＲＣは、伝送モード（ユニキャスト、マルチキャスト又はブロードキャスト）の指示フィールド（サイドリンク伝送識別子内のユニキャスト識別子、マルチキャスト識別子又はブロードキャスト識別子を指示するための指示フィールド）を用いてスクランブルされる。ＳＣＩに実際の受信端識別子用の指示フィールドが含まれ、且つブロードキャストであれば、ＳＣＩには、受信端識別子用の指示フィールドが含まれないか、或いは、当該指示フィールドが他の目的用にエスケープされてもよい。なお、第一端末は、少なくとも１つのターゲット受信端識別子を取得し、そのうち、ターゲット受信端識別子は、事前定義されたもの又は上位レイヤにより設定されたものであってもよく、ターゲット受信端識別子は、送信側端末が所望するマルチキャスト又はユニキャストの受信端識別子であってもよい。
【００４７】
第一端末は、ＰＳＣＣＨを監視するとともに、伝送モードの指示フィールドに従って、ＳＣＩを監視又はブラインド検出する。第一端末による某ＳＣＩのＣＲＣチェックに合格すれば、第一端末は、当該ＳＣＩによりスケジュールされたＰＳＳＣＨの伝送モードが分かるようになる。ＰＳＳＣＨがマルチキャスト又はユニキャストであれば、ＳＣＩ内の、受信端識別子を指示するための指示フィールドを更に読み取る。ＳＣＩで指示された受信端識別子がターゲット受信端識別子とマッチングしていれば、第一端末は、当該ＳＣＩによりスケジュールされたＰＳＳＣＨの受信及び復調を続行する。第一端末は、当該受信端識別子を上位レイヤ（例えばＭＡＣレイヤ及びアプリケーションレイヤ等）に報告する。応答情報をフィードバックする必要があるユニキャストデータ又はマルチキャストデータ（例えば、応答情報をフィードバックする必要がある旨をＳＣＩにより指示されたユニキャスト又はマルチキャスト）について、第一端末は、物理レイヤで応答情報を符号化してフィードバックする。受信端識別子がターゲット受信端識別子とマッチングしていなければ、第一端末は、当該ＳＣＩによりスケジュールされたＰＳＳＣＨを受信又は復調せず、さらに、当該第一端末に自主リソース選択モードが設定されていれば、第一端末は、当該ＳＣＩのリソース割当又は予約指示に従って、後続のリソース検知及び予約を行ってもよい。
【００４８】
例３
サイドリンク伝送識別子内の送信端識別子及び受信端識別子は、２４ビットのＬ２  ＩＤで、それぞれ送信側の端末及び受信側の端末を指示するものであるとする。そのうち、第一端末により受信されたＳＣＩのＣＲＣは、受信端識別子の指示フィールドを用いてスクランブルされる。第一端末は、少なくとも１つのターゲット受信端識別子を取得し、そのうち、ターゲット受信端識別子は、事前定義されたもの又は上位レイヤにより設定されたものであってもよく、ターゲット受信端識別子は、送信側端末が所望するマルチキャスト又はユニキャストの受信端識別子であってもよい。
【００４９】
第一端末は、ＰＳＣＣＨを監視するとともに、伝送モードの指示フィールドに従って、ＳＣＩを監視又はブラインド検出する。某ＳＣＩをスクランブルした受信端識別子がターゲット受信端識別子とマッチングしていれば、当該ＳＣＩのＣＲＣチェックに合格し、第一端末は、当該ＳＣＩによりスケジュールされたＰＳＳＣＨの伝送タイプ及び受信端識別子が分かるようになり、第一端末は、当該ＳＣＩによりスケジュールされたＰＳＳＣＨの受信及び復調を続行する。第一端末は、当該受信端識別子を上位レイヤ（例えばＭＡＣレイヤ及びアプリケーションレイヤ等）に報告する。応答情報をフィードバックする必要があるデータについて、第一端末は、物理レイヤで応答情報を符号化してフィードバックする。
【００５０】
例４
サイドリンク伝送識別子内の送信端識別子及び受信端識別子は、２４ビットのＬ２  ＩＤで、それぞれ送信側の端末及び受信側の端末を指示するものであるとする。そのうち、第一端末により受信されたＳＣＩのＣＲＣは、受信端識別子又は送信端識別子の指示フィールドを用いてスクランブルされる。例えば、ブロードキャスト又はマルチキャストデータについて、受信端識別子を用いてＣＲＣをスクランブルし、ユニキャストデータについて、送信端識別子を用いてＣＲＣをスクランブルする。なお、第一端末は、少なくとも１つのターゲット受信端識別子を取得し、そのうち、ターゲット受信端識別子は、事前定義されたもの又は上位レイヤにより設定されたものであってもよく、ターゲット受信端識別子は、送信側端末が所望するマルチキャスト又はユニキャストの受信端識別子であってもよい。第一端末は、少なくとも１つのターゲット送信端識別子を取得し、そのうち、ターゲット送信端識別子は、事前定義されたもの又は上位レイヤにより設定されたものであってもよく、ターゲット送信端識別子は、第一端末が関心を持つマルチキャスト又はユニキャストの送信端識別子であってもよい。
【００５１】
第一端末は、ＰＳＣＣＨを監視するとともに、その設定された送信端識別子及びターゲット送信端識別子に従って、ＳＣＩを監視又はブラインド検出する。
【００５２】
某ＳＣＩをスクランブルしたのが受信端識別子であり、且つターゲット受信端識別子とマッチングしていれば、当該ＳＣＩのＣＲＣチェックに合格するため、第一端末は、当該ＳＣＩによりスケジュールされたＰＳＳＣＨの伝送タイプ（ブロードキャスト又はマルチキャスト）及び受信端識別子が分かるようになる。
【００５３】
某ＳＣＩをスクランブルしたのが送信端識別子であり、且つターゲット送信端識別子とマッチングしていれば、当該ＳＣＩのＣＲＣチェックに合格するため、第一端末は、当該ＳＣＩによりスケジュールされたＰＳＳＣＨの伝送タイプ（ユニキャスト）及び送信端識別子が分かるようになる。
【００５４】
このように、第一端末は、当該ＳＣＩによりスケジュールされたＰＳＳＣＨの受信及び復調を続行する。第一端末は、当該受信端識別子を上位レイヤ（例えばＭＡＣレイヤ及びアプリケーションレイヤ等）に報告する。応答情報をフィードバックする必要があるデータについて、第一端末は、物理レイヤで応答情報を符号化してフィードバックする。
【００５５】
また、第一端末は、ＰＳＳＣＨ内のＭＡＣレイヤの送信端識別子及び／又は受信端識別子に従って、偽警報（ｆａｌｓｅ  ａｌａｒｍ）を更に検出してもよい。当該ＰＳＳＣＨは、当該第一端末が受信したいものでなければ、当該データパケットは廃棄される。
【００５６】
第一端末がＰＳＳＣＨを受信又は復調しないか、或いは第一端末がＰＳＳＣＨを廃棄した場合、もし第一端末に自主リソース選択モードが設定されていれば、第一端末は、当該ＳＣＩのリソース割当又は予約指示に従って、後続のリソース検知及び予約を行ってもよい。
【００５７】
例５
サイドリンク伝送識別子内の送信端識別子及び受信端識別子は、２４ビットのＬ２  ＩＤで、それぞれ送信側の端末及び受信側の端末を指示するものであるとする。ＭＡＣレイヤには、送信端識別子及び受信端識別子が含まれ、ＳＣＩには、固定ビット長（所定ビット数、例えば８ビット）の第二指示フィールドが含まれ、そのうち、当該第二指示フィールドは、送信端識別子及び／又は受信端識別子における一部又は全てのビットにより構築されるものであり、例えば、送信端識別子及び／又は受信端識別子の中から切り取った８ビットからなるか、或いは、送信端識別子及び／又は受信端識別子のハッシュ計算によって得られた８ビットからなる。そのうち、第一端末は、少なくとも１つのターゲット受信端識別子を更に取得しており、ターゲット受信端識別子は、事前定義されたもの又は上位レイヤにより設定されたものであってもよく、ターゲット受信端識別子は、送信側端末が所望するマルチキャスト又はユニキャストの受信端識別子であってもよい。なお、第一端末は、第二指示フィールドと同じ長さのマスクを構築してもよく、当該マスクは、送信端識別子及び／又は受信端識別子における一部又は全てのビットにより構築されるものである。例えば、当該マスクは、送信端識別子及び／又は受信端識別子の中から切り取った８ビットからなるか、或いは、送信端識別子及び／又は受信端識別子のハッシュ計算によって得られた８ビットからなる。複数の識別子がある場合、更にバイナリ計算によって第二指示フィールド又はマスクを構築してもよい。
【００５８】
第一端末は、ＰＳＣＣＨを監視するとともに、伝送モードの指示フィールドに従って、ＳＣＩを監視又はブラインド検出する。第一端末が、構築されたマスクに従って、ＳＣＩ内の第二指示フィールドに対するマスク操作を行い、結果としてマッチングしていれば、当該ＳＣＩによりスケジュールされたＰＳＳＣＨは、第一端末が関心を持つＰＳＳＣＨでありうることを意味し、第一端末は、当該ＳＣＩによりスケジュールされたＰＳＳＣＨの受信及び復調を続行する。結果としてマッチングしていなければ、当該ＳＣＩによりスケジュールされたＰＳＳＣＨを受信又は復調しない。
【００５９】
また、第一端末は、ＰＳＳＣＨ内のＭＡＣレイヤの送信端識別子及び／又は受信端識別子に従って、偽警報を更に検出してもよい。当該ＰＳＳＣＨは、当該第一端末が受信したいものでなければ、当該データパケットは廃棄される。例えば、第二指示フィールド又はマスクが、送信端識別子及び／又は受信端識別子における一部のビットに基づいて構築形成された場合や、第二指示フィールド又はマスクの長さが、送信端識別子及び／又は受信端識別子の長さよりも小さい場合、偽警報が発生する恐れがある。
【００６０】
第一端末がＰＳＳＣＨを廃棄した場合、もし第一端末に自主リソース選択モードが設定されていれば、第一端末は、当該ＳＣＩのリソース割当又は予約指示に従って、後続のリソース検知及び予約を行ってもよい。
【００６１】
例６
サイドリンク伝送識別子内の送信端識別子及び受信端識別子は、２４ビットのＬ２  ＩＤで、それぞれ送信側の端末及び受信側の端末を指示するものであるとする。ＳＣＩには、固定ビット長（所定ビット数、例えば８ビット）の第二指示フィールドが含まれ、そのうち、当該第二指示フィールドの内容は、事前定義又は設定されたマッピング情報により確定される。例えば、端末にマッピング関係テーブルが設定されており、当該マッピング関係テーブル内の項目は、サイドリンク伝送識別子を指示するためのもので、そのうち、第二指示フィールドのビット値は、当該マッピング関係テーブル内の項目を指示するためのものである。
【００６２】
第一端末は、ＰＳＣＣＨを監視するとともに、伝送モードの指示フィールドに従って、ＳＣＩを監視又はブラインド検出する。第一端末は、第二指示フィールドのマッチングマッピング関係テーブル内の某設定項目に従って、テーブルを検索することでサイドリンク伝送識別子（例えば送信端識別子及び／又は受信端識別子）を特定し、第一端末は、テーブルを検索することで特定されたサイドリンク伝送識別子に従って、当該ＳＣＩによりスケジュールされたＰＳＳＣＨの受信及び復調を続行するかどうかを確定する。
【００６３】
さらに、第一端末は、当該ＳＣＩによりスケジュールされたＰＳＳＣＨの受信及び復調を続行する場合、当該受信端識別子を上位レイヤ（例えばＭＡＣレイヤ及びアプリケーションレイヤ等）に報告する。応答情報をフィードバックする必要があるデータについて、第一端末は、物理レイヤで応答情報を符号化してフィードバックする。
【００６４】
第一端末がＰＳＳＣＨを受信又は復調しない場合、もし第一端末に自主リソース選択モードが設定されていれば、第一端末は、当該ＳＣＩのリソース割当又は予約指示に従って、後続のリソース検知及び予約を行ってもよい。
【００６５】
本開示の実施例に係るサイドリンク情報伝送方法において、受信側の端末は、サイドリンク伝送識別子に従って、ＳＣＩに対応するＰＳＳＣＨを受信又は復調する必要があるかどうかを確定可能であり、ＰＳＳＣＨを毎回受信又は復調する必要がなくなり、端末の処理エネルギー消費を低減し、処理能力を節約することができる。
【００６６】
上記の実施例は、異なるシーンでのサイドリンク情報伝送方法をそれぞれ詳しく紹介したが、次に、本実施例は、図面と併せて、その対応する端末を更に紹介する。
【００６７】
図２に示すように、本開示の実施例に係る端末２００は、上記実施例における、サイドリンク制御情報ＳＣＩを受信し、ＳＣＩにより指示されたサイドリンク伝送識別子に従って、物理サイドリンク共有チャネルＰＳＳＣＨを受信又は復調するかどうかを確定するといった方法の詳細を実現して、同じ効果を達成することができ、当該端末２００は、具体的に、以下の機能モジュールを含み、即ち、
サイドリンク制御情報ＳＣＩを受信するための受信モジュール２１０と、
ＳＣＩにより指示されたサイドリンク伝送識別子に従って、物理サイドリンク共有チャネルＰＳＳＣＨを受信又は復調するかどうかを確定するための第一処理モジュール２２０とを含む。
【００６８】
そのうち、サイドリンク伝送識別子は、レイヤ２識別子、アプリケーションレイヤ識別子及びアドレス識別子のうち、少なくとも１つにおける少なくとも一部のビットに従って確定されたものである。
【００６９】
そのうち、サイドリンク伝送識別子は、上位レイヤにより設定されたもの、ネットワーク機器により設定されたもの、又は、事前定義されたものである。
【００７０】
そのうち、サイドリンク伝送識別子は、ＳＣＩにより指示されたターゲット情報に対応しており、ターゲット情報には、リソース割当情報、ビーム伝送モード情報、及び復調用参照信号ＤＲＭＳ情報のうち、少なくとも１つが含まれる。
【００７１】
そのうち、ビーム伝送モードには、シングルビーム伝送、マルチビーム伝送及びビーム走査のうち、少なくとも１つが含まれる。
【００７２】
そのうち、サイドリンク伝送識別子には、送信端識別子、受信端識別子、ブロードキャスト識別子、マルチキャスト識別子及びユニキャスト識別子のうち、少なくとも１つが含まれる。
【００７３】
そのうち、第一処理モジュール２２０は、
ＳＣＩにより指示された送信端識別子がターゲット送信端識別子の場合、ＰＳＳＣＨを受信又は復調するための第一処理サブモジュールと、
ＳＣＩにより指示された受信端識別子がターゲット受信端識別子の場合、ＰＳＳＣＨを受信又は復調するための第二処理サブモジュールと、
ＳＣＩがブロードキャスト識別子を指示している場合、ＰＳＳＣＨを受信又は復調するための第三処理サブモジュールと、
ＳＣＩにより指示されたマルチキャスト識別子がターゲットマルチキャスト識別子の場合、ＰＳＳＣＨを受信又は復調するための第四処理サブモジュールと、
ＳＣＩにより指示されたユニキャスト識別子がターゲットユニキャスト識別子の場合、ＰＳＳＣＨを受信又は復調するための第五処理サブモジュールとのうち、１つを含む。
【００７４】
そのうち、サイドリンク伝送識別子は、ＳＣＩの指示フィールドに搬送されているか、或いは、サイドリンク伝送識別子は、ＳＣＩのスクランブル用の巡回冗長チェックＣＲＣである。
【００７５】
そのうち、指示フィールドには、
サイドリンク伝送識別子における少なくとも一部のビットによって形成された第一指示フィールドと、
所定ルールに従って構築された所定ビット数の第二指示フィールドとのうち、１つが含まれる。
【００７６】
そのうち、第二指示フィールドは、サイドリンク伝送識別子に従って確定されたものであるか、或いは、第二指示フィールドは、サイドリンク伝送識別子のマッピング情報に従って確定のされたものである。
【００７７】
そのうち、端末２００は、
マスクで第二指示フィールドのマッチングを行って、ＰＳＳＣＨを受信又は復調するかどうかを確定するための確定モジュールを更に含む。
【００７８】
そのうち、指示フィールドは、応答情報と、ハイブリッド自動再送要求ＨＡＲＱプロセス番号と、リソース割当と、変調及び符号化スキームＭＣＳとのうち、少なくとも１つを指示するために更に用いられる。
【００７９】
そのうち、端末２００は、
ＰＳＳＣＨを受信又は復調しないことを確定した場合、ＳＣＩによりスケジュール又は予約されたリソースに従って、リソース検知及び／又はリソース予約を行うための第二処理モジュール、
又は、
ＰＳＳＣＨを受信又は復調することを確定した場合、ＰＳＳＣＨの処理結果に従って、応答情報をフィードバックするための第三処理モジュールを更に含む。
【００８０】
特筆したいのは、本開示の実施例に係る端末は、サイドリンク伝送識別子に従って、ＳＣＩに対応するＰＳＳＣＨを受信又は復調する必要があるかどうかを確定可能であり、ＰＳＳＣＨを毎回受信又は復調する必要がなくなり、端末の処理エネルギー消費を低減し、処理能力を節約することができる。
【００８１】
上記の実施例は、受信側端末の方から、本開示のサイドリンク情報伝送方法を紹介したが、次に、本実施例は、図面と併せて、送信側端末のサイドリンク情報伝送用のサイドリンク情報伝送方法を更に紹介する。
【００８２】
図３に示すように、本開示の実施例に係るサイドリンク情報伝送方法、第二端末に適用されるものであり、当該方法は、
サイドリンク伝送識別子を指示するためのサイドリンク制御情報ＳＣＩを送信するステップ３１を含む。
【００８３】
そのうち、第二端末は送信側端末とされ、第一端末は受信側端末とされる。当業者であれば理解できるように、第一端末は、データ送信の必要がある場合、送信側端末とされてもよく、第二端末は受信側端末とされてもよい。本開示の実施例において、ＳＣＩは、サイドリンク伝送識別子を指示するためのものであり、伝送インジケータＩＤとも呼ばれる。
【００８４】
そのうち、サイドリンク伝送識別子は、上位レイヤにより設定されたもの、ネットワーク機器により設定されたもの、又は、事前定義されたもの（例えば、プロトコルによって定められたものや、事前設定されたもの）である。サイドリンク伝送識別子は、送信端末又は受信端末の身分情報、及び／又は、ＳＣＩに対応するＰＳＳＣＨ内で伝送されるデータのタイプを指示するために使用可能である。そのうち、サイドリンク伝送識別子には、送信端識別子、受信端識別子、ブロードキャスト識別子、マルチキャスト識別子及びユニキャスト識別子のうち、少なくとも１つが含まれる。本開示の実施例において、サイドリンク伝送識別子は、レイヤ２識別子、アプリケーションレイヤ識別子及びアドレス識別子のうち、少なくとも１つにおける少なくとも一部のビットに従って確定されたものである。そのうち、送信端識別子は、送信側端末識別子であってもよく、受信端識別子は、受信側端末識別子であってもよく、ブロードキャスト識別子は、ＰＳＳＣＨ内に担持されるデータがブロードキャストデータであることを指示するためのものであり、マルチキャスト識別子は、ＰＳＳＣＨに担持されるデータがマルチキャストデータ及び／又はＰＳＳＣＨ担持データの受信グループの端末識別子であることを指示するためのものであり、ユニキャスト識別子は、ＰＳＳＣＨに担持されるデータがユニキャストデータ及び／又はＰＳＳＣＨ担持データの受信側端末識別子であることを指示するためのものである。例えば、送信端識別子は、２４ビットのＬ２  ＩＤである。
【００８５】
そのうち、本開示の実施例において、サイドリンク伝送識別子は、ＳＣＩによって明示的に指示されてもよいし、ＳＣＩによって暗黙的に指示されてもよい。以下、本開示の実施例は、これら２つの態様について、サイドリンク伝送識別子の具体的な形態を更に説明する。
【００８６】
明示的な指示方式には、サイドリンク伝送識別子がＳＣＩの指示フィールドに搬送されているか、或いは、サイドリンク伝送識別子が、ＳＣＩのスクランブル用の巡回冗長チェックＣＲＣであるといった方式が含まれる。
【００８７】
そのうち、指示フィールドには、サイドリンク伝送識別子における少なくとも一部のビットによって形成された第一指示フィールドと、所定ルールに従って構築された所定ビット数の第二指示フィールドとのうち、１つが含まれる。
【００８８】
具体的に、第一指示フィールドとは、ＳＣＩに搬送されているサイドリンク伝送識別子における一部又は全てのビットであり、これらのビットは、ＳＣＩ内の独立した指示フィールドを構成している。第二指示フィールドは、サイドリンク伝送識別子に従って確定されたものであるか、或いは、第二指示フィールドは、サイドリンク伝送識別子のマッピング情報に従って確定のされたものである。例えば、第二指示フィールドは、送信端識別子、受信端識別子、ブロードキャスト識別子、マルチキャスト識別子及びユニキャスト識別子等のうち、少なくとも１つの中から切り取った一部又は全てのビットにより構成されたものである。若しくは、端末にマッピング関係テーブルが設定されており、当該マッピング関係テーブル内の項目は、サイドリンク伝送識別子を指示するためのもので、マッピング関係テーブル内に設定された項目に従って、第二指示フィールドが確定され、そのうち、第二指示フィールドは、当該マッピング関係テーブル内の項目を指示するためのものである。
【００８９】
本開示の実施例における指示フィールド（例えば第一指示フィールド又は第二指示フィールド）は、独立して符号化されてもよいし、共同で符号化されてもよい。そのうち、指示フィールドが共同で符号化されるものである場合、指示フィールドは、応答情報（例えばＡＣＫ／ＮＡＣＫ）と、ハイブリッド自動再送要求ＨＡＲＱプロセス番号と、リソース割当と、変調及び符号化スキームＭＣＳとのうち、少なくとも１つを指示するために更に用いられてもよい。つまり、サイドリンク伝送識別子は、応答情報と、ＨＡＲＱプロセス番号と、リソース割当と、変調及び符号化スキームＭＣＳとのうち、少なくとも１つと共同で符号化される。
【００９０】
上記では、明示的な指示方式を紹介したが、次に、以下のような暗黙的な指示方式を更に紹介する。即ち、サイドリンク伝送識別子は、ＳＣＩにより指示されたターゲット情報に対応しており、そのうち、ターゲット情報には、リソース割当情報、ビーム伝送モード情報、及び復調用参照信号ＤＲＭＳ情報のうち、少なくとも１つが含まれる。例えば、リソース（プール）割当及び／又はビーム伝送モード等は、ユニキャスト、マルチキャスト又はブロードキャストに関連している。そのうち、リソース割当情報には、ＳＣＩが位置するリソースの時間領域、周波数領域、空間領域（ビーム）及びリソースプール等のうち、少なくとも１つの情報が含まれる。さらに、上記ビーム伝送モードには、シングルビーム伝送、マルチビーム伝送及びビーム走査のうち、少なくとも１つが含まれる。
【００９１】
本開示の実施例に係るサイドリンク情報伝送方法において、端末は、サイドリンク伝送識別子を指示するためにＳＣＩを他の端末に送信することによって、他の端末は、当該サイドリンク伝送識別子に従って、当該ＳＣＩに対応するＰＳＳＣＨを受信又は復調する必要があるかどうかを確定可能となるため、他の端末の処理エネルギー消費を低減し、処理能力を節約することができる。
【００９２】
上記の実施例は、異なるシーンでのサイドリンク情報伝送方法を紹介したが、次に、図面と併せて、その対応する端末を更に紹介する。
【００９３】
図４に示すように、本開示の実施例に係る端末４００は、上記実施例における、サイドリンク伝送識別子を指示するためのサイドリンク制御情報ＳＣＩを送信するといった方法の詳細を実現して、同じ効果を達成することができ、当該端末４００は、具体的に、以下の機能モジュールを含み、即ち、
サイドリンク伝送識別子を指示するためのサイドリンク制御情報ＳＣＩを送信するための送信モジュールを含む。
【００９４】
そのうち、サイドリンク伝送識別子は、レイヤ２識別子、アプリケーションレイヤ識別子及びアドレス識別子のうち、少なくとも１つにおける少なくとも一部のビットに従って確定されたものである。
【００９５】
そのうち、サイドリンク伝送識別子は、上位レイヤにより設定されたもの、ネットワーク機器により設定されたもの、又は、事前定義されたものである。
【００９６】
そのうち、サイドリンク伝送識別子は、ＳＣＩにより指示されたターゲット情報に対応しており、ターゲット情報には、リソース割当情報、ビーム伝送モード情報、及び復調用参照信号ＤＲＭＳ情報のうち、少なくとも１つが含まれる。
【００９７】
そのうち、ビーム伝送モードには、シングルビーム伝送、マルチビーム伝送及びビーム走査のうち、少なくとも１つが含まれる。
【００９８】
そのうち、サイドリンク伝送識別子には、送信端識別子、受信端識別子、ブロードキャスト識別子、マルチキャスト識別子及びユニキャスト識別子のうち、少なくとも１つが含まれる。
【００９９】
そのうち、サイドリンク伝送識別子は、ＳＣＩの指示フィールドに搬送されているか、或いは、サイドリンク伝送識別子は、ＳＣＩのスクランブル用の巡回冗長チェックＣＲＣである。
【０１００】
そのうち、指示フィールドには、
サイドリンク伝送識別子における少なくとも一部のビットによって形成された第一指示フィールドと、
所定ルールに従って構築された所定ビット数の第二指示フィールドとのうち、１つが含まれる。
【０１０１】
そのうち、第二指示フィールドは、サイドリンク伝送識別子に従って確定されたものであるか、或いは、第二指示フィールドは、サイドリンク伝送識別子のマッピング情報に従って確定のされたものである。
【０１０２】
そのうち、指示フィールドは、応答情報と、ハイブリッド自動再送要求ＨＡＲＱプロセス番号と、リソース割当と、変調及び符号化スキームＭＣＳとのうち、少なくとも１つを指示するために更に用いられる。
【０１０３】
特筆したいのは、本開示の実施例に係る端末は、サイドリンク伝送識別子を指示するためにＳＣＩを他の端末に送信することによって、他の端末は、当該サイドリンク伝送識別子に従って、当該ＳＣＩに対応するＰＳＳＣＨを受信する必要があるかどうかを確定可能となるため、他の端末の処理エネルギー消費を低減し、処理能力を節約することができる。
【０１０４】
なお、上記の端末の各モジュールに対する分割は、論理的な機能での分割に過ぎず、実際の実現のとき、一部又は全てのモジュールは、１つの物理エンティティへ統合されてもよいし、物理的に分離されていてもよいことに留意されたい。そして、これらのモジュールは、全て処理要素によりソフトウェアを呼び出す形で実現されてもよいし、全てハードウェアにより実現されてもよく、また、一部のモジュールは、処理要素によりソフトウェアを呼び出す形で実現されるとともに、他の一部のモジュールは、ハードウェアにより実現されてもよい。例えば、確定モジュールは、独立して設けられた処理要素であってもよいし、上記装置の某チップ内への統合により実現されてもよい。さらに、確定モジュールは、プログラムコードの形式で上記装置のメモリに記憶され、上記装置の某処理要素により呼び出されることで、確定モジュールの上記機能を実行してもよい。他のモジュールの実現は、確定モジュールと同様である。それに、これらのモジュールは、全て又は一部が統合されてもよいし、個別に実現されてもよい。本明細書に記載の処理要素は、信号の処理能力を有する集積回路であってもよい。実現のとき、上記方法の各ステップ又は上記各モジュールは、プロセッサ要素内のハードウェアの統合された論理回路を用いることにより、又は、ソフトウェア形式のコマンドを用いることにより実装されてもよい。
【０１０５】
例えば、上記モジュールは、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つ又は複数のマイクロプロセッサ（ｄｉｇｉｔａｌ  ｓｉｇｎａｌ  ｐｒｏｃｅｓｓｏｒ、ＤＳＰ）、若しくは、１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）など、上記方法を実現する１つ又は複数の集積回路として配置されてもよい。他の例として、上記の某モジュールは、処理要素によりプログラムコードを呼び出す形で実現される場合、当該処理要素は、中央演算処理装置（Ｃｅｎｔｒａｌ  Ｐｒｏｃｅｓｓｉｎｇ  Ｕｎｉｔ、ＣＰＵ）などの汎用プロセッサ、又は、プログラムコードを呼び出すことが可能な他のプロセッサであってもよい。さらに他の例として、これらのモジュールは、一緒に統合されてもよいし、システムオンチップ（ｓｙｓｔｅｍ−ｏｎ−ａ−ｃｈｉｐ、ＳＯＣ）の形式で実現されてもよい。
【０１０６】
上記目的をより好適に達成するため、さらに、図５は、本開示の各実施例に係る端末を実現するハードウェア構造模式図であり、当該端末５０は、無線周波数（Ｒａｄｉｏ  Ｆｒｅｑｕｅｎｃｙ、ＲＦ）ユニット５１、ネットワークモジュール５２、オーディオ出力ユニット５３、入力ユニット５４、センサ５５、表示ユニット５６、ユーザ入力ユニット５７、インターフェースユニット５８、メモリ５９、プロセッサ５１０、及び電源５１１等の部品を含むが、これらに限定されない。当業者であれば理解できるように、図５に示す端末構造は、端末に対する限定を構成するものではなく、端末は、図示されるものよりも多いか或いは少ない部品を含んでもよいし、いくつかの部品の組み合せ、又は異なる配置の部品を含んでもよい。本開示の実施例において、端末には、携帯電話、タブレットＰＣ、ノートＰＣ、パームトップ型ＰＣ、車載端末、ウェアラブル機器、及び歩数計等が含まれるが、これらに限定されない。
【０１０７】
そのうち、端末が受信側端末の場合、無線周波数ユニット５１は、サイドリンク制御情報ＳＣＩを受信するために用いられ、
プロセッサ５１０は、前記ＳＣＩにより指示されたサイドリンク伝送識別子に従って、物理サイドリンク共有チャネルＰＳＳＣＨを受信又は復調するかどうかを確定するために用いられる。
【０１０８】
端末が送信側端末の場合、無線周波数ユニット５１は、サイドリンク伝送識別子を指示するためのサイドリンク制御情報ＳＣＩを送信するために用いられる。
【０１０９】
本開示の実施例に係る端末は、サイドリンク伝送識別子に従って、ＳＣＩに対応するＰＳＳＣＨを受信又は復調する必要があるかどうかを確定可能であり、ＰＳＳＣＨを毎回受信又は復調する必要がなくなり、端末の処理エネルギー消費を低減し、処理能力を節約することができる。
【０１１０】
理解されたいのは、本開示の実施例において、無線周波数ユニット５１は、情報の送受信、又は通話中の信号の受信及び送信に用いられることが可能であり、具体的に、基地局からの下りリンクデータを受信した後に、プロセッサ５１０に処理させ、また、上りリンクデータを基地局に送信する。通常、無線周波数ユニット５１は、アンテナ、少なくとも１つの増幅器、送受信機、カプラ、低雑音増幅器、デュプレクサ等を含むが、これらに限定されない。加えて、無線周波数ユニット５１は、無線通信システムを介してネットワーク及び他の機器と通信することが可能である。
【０１１１】
端末は、ネットワークモジュール５２によって、ワイヤレスブロードバンドインターネットアクセスをユーザに提供しており、例えばユーザによる電子メールの送受信、ウェブページの閲覧及びストリーミングメディアへのアクセス等を支援する。
【０１１２】
オーディオ出力ユニット５３は、無線周波数ユニット５１又はネットワークモジュール５２によって受信されたか、或いはメモリ５９に記憶されたオーディオデータをオーディオ信号に変換して音声として出力することが可能である。更に、オーディオ出力ユニット５３は、端末５０によって実行される特定の機能に関するオーディオ出力（例えば、呼信号受信音、メッセージ受信音等）を提供することも可能である。オーディオ出力ユニット５３は、スピーカ、ブザー及び受話器等を含む。
【０１１３】
入力ユニット５４は、オーディオ又はビデオ信号を受信するためのものである。入力ユニット５４は、グラフィックスプロセッサ（Ｇｒａｐｈｉｃｓ  Ｐｒｏｃｅｓｓｉｎｇ  Ｕｎｉｔ、ＧＰＵ）５４１、及びマイク５４２を含んでもよく、グラフィックスプロセッサ５４１は、ビデオキャプチャモード又は画像キャプチャモードにおいて画像キャプチャ装置（例えば、カメラ）によって取得された静止画又はビデオの画像データを処理するものである。処理された画像フレームは、表示ユニット５６に表示されることが可能である。グラフィックスプロセッサ５４１によって処理された画像フレームは、メモリ５９（又は他の記憶媒体）に記憶されるか、或いは無線周波数ユニット５１又はネットワークモジュール５２を介して送信されることが可能である。マイク５４２は、音声を受信可能であるとともに、このような音声をオーディオデータとなるように処理することができる。処理されたオーディオデータは、電話通話モードの場合、無線周波数ユニット５１を介して移動通信基地局に送信可能なフォーマットに変換して出力されることが可能である。
【０１１４】
端末５０は、例えば光センサ、動きセンサ及び他のセンサなど、少なくとも１つのセンサ５５を更に含む。具体的に、光センサは、周囲光センサ及び近接センサを含み、そのうち、周囲光センサは、周囲光の明暗に応じて表示パネル５６１の輝度を調節することができ、近接センサは、端末５０が耳付近に移動された場合、表示パネル５６１及び／又はバックライトをオフにすることができる。動きセンサの一種として、加速度計センサは、様々な方向（通常は３軸）における加速度の大きさを検出することができ、静止時には、重力の大きさ及び方向を検出でき、端末の姿勢の識別（例えば、横／縦スクリーン切替、関連ゲーム、磁力計の姿勢校正）、振動識別関連機能（例えば、歩数計やタッピング）等に用いられることが可能であり、センサ５５は、指紋センサ、圧力センサ、虹彩センサ、分子センサ、ジャイロスコープ、気圧計、湿度計、温度計、赤外線センサ等を更に含んでもよいが、ここで繰り返して説明しない。
【０１１５】
表示ユニット５６は、ユーザにより入力された情報、又はユーザに提供される情報を表示するためのものである。表示ユニット５６は、表示パネル５６１を含んでもよく、表示パネル５６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形態で配置されてもよい。
【０１１６】
ユーザ入力ユニット５７は、入力された数字や文字の情報を受信し、並びに、端末のユーザ設定及び機能制御に関するキー信号入力を生成するためのものである。具体的に、ユーザ入力ユニット５７は、タッチパネル５７１及び他の入力デバイス５７２を含む。タッチパネル５７１は、タッチスクリーンとも呼ばれており、ユーザがその上又は付近で行ったタッチ操作（例えば、ユーザが指やタッチペン等の任意の適切な物体や付属品を用いて、タッチパネル５７１上又はタッチパネル５７１付近で行った操作）を受け付けることができる。タッチパネル５７１は、タッチ検出装置とタッチコントローラとの２部分を含んでもよい。そのうち、タッチ検出装置は、ユーザのタッチ位置を検出し、タッチ操作に起因した信号を検出して、その信号をタッチコントローラに送るものであり、タッチコントローラは、タッチ検出装置からタッチ情報を受信し、それをタッチポイント座標に変換してから、プロセッサ５１０に送り、プロセッサ５１０から発されたコマンドを受信して実行するものである。なお、タッチパネル５７１は、抵抗型、容量型、赤外線型及び表面弾性波型等の複数のタイプで実現可能である。ユーザ入力ユニット５７は、タッチパネル５７１に加え、他の入力デバイス５７２を更に含んでもよい。具体的に、他の入力デバイス５７２には、物理キーボード、機能キー（例えば、音量制御キーやオン／オフキー等）、トラックボール、マウス、ジョイスティックが含まれてもよいが、ここで繰り返して説明しない。
【０１１７】
更に、タッチパネル５７１は、表示パネル５６１を覆っていてもよく、タッチパネル５７１は、その上又は付近のタッチ操作を検出すると、タッチイベントのタイプを特定するためにプロセッサ５１０に送り、その後、プロセッサ５１０は、タッチイベントのタイプに従って、対応する視覚出力を表示パネル５６１で提供する。図５において、タッチパネル５７１と表示パネル５６１とは、２つの独立した部品として端末の入力及び出力機能を実現しているが、いくつかの実施例において、タッチパネル５７１と表示パネル５６１とを統合させて端末の入力及び出力機能を実現してもよく、ここでは、具体的に限定しない。
【０１１８】
インターフェースユニット５８は、外部装置と端末５０とを接続するためのインターフェースである。例えば、外部装置には、有線又は無線ヘッドホンポート、外部電源（又はバッテリ充電器）ポート、有線又は無線データポート、メモリカードポート、識別モジュールを持つ装置と接続するためのポート、オーディオ入力／出力（Ｉ／Ｏ）ポート、ビデオＩ／Ｏポート、イヤホンポート等が含まれてもよい。インターフェースユニット５８は、外部装置からの入力（例えば、データ情報、電力等）を受信するとともに、受信した入力を端末５０内の１つ又は複数の要素に送るために用いられてもよいし、或いは、端末５０と外部装置との間のデータ伝送に用いられてもよい。
【０１１９】
メモリ５９は、ソフトウェアプログラム及び様々なデータの記憶に用いられることが可能である。メモリ５９は、主にプログラム記憶領域及びデータ記憶領域を含んでもよく、そのうち、プログラム記憶領域は、オペレーティングシステムや、少なくとも１つの機能（例えば、音声再生機能や画像再生機能等）に必要なアプリケーションプログラム等を記憶することができ、データ記憶領域は、携帯電話の使用に応じて作成されたデータ（例えばオーディオデータや電話帳等）を記憶することができる。なお、メモリ５９は、高速ランダムアクセスメモリを含んでもよいし、更に、例えば少なくとも１つの磁気ディスク記憶デバイス、フラッシュメモリデバイス、又は他の揮発性ソリッドステート記憶デバイスなどの不揮発性メモリを含んでもよい。
【０１２０】
プロセッサ５１０は、端末の制御中心であり、様々なインターフェース及び回線を用いて端末全体の各部分を接続しており、メモリ５９に記憶されたソフトウェアプログラム及び／又はモジュールを起動又は実行し、並びに、メモリ５９に記憶されたデータを呼び出して端末の各種機能を実行してデータを処理することにより、端末全体の監視制御を行う。プロセッサ５１０は、１つ又は複数の処理ユニットを含んでもよく、選択的に、プロセッサ５１０には、アプリケーションプロセッサ及びモデムプロセッサが統合されてもよく、そのうち、アプリケーションプロセッサは、主にオペレーティングシステム、ユーザインタフェース及びアプリケーションプログラム等を取り扱い、モデムプロセッサは、主に無線通信を取り扱う。理解できるように、上記モデムプロセッサは、プロセッサ５１０に統合されなくてもよい。
【０１２１】
端末５０は、各部品に電力を供給する電源５１１（例えばバッテリ）を更に含んでもよく、選択的に、電源５１１は、電源管理システムによる充放電管理や電力消費管理等の機能が実現されるように、電源管理システムを介してプロセッサ５１０と論理的に接続されてもよい。
【０１２２】
また、端末５０は、いくつかの不図示の機能モジュールを含むが、ここで繰り返して説明しない。
【０１２３】
選択的に、本開示の実施例は、端末を更に提供しており、当該端末は、プロセッサ５１０と、メモリ５９と、メモリ５９に記憶されて前記プロセッサ５１０上で動作可能なコンピュータプログラムとを含み、当該コンピュータプログラムがプロセッサ５１０によって実行されると、上記サイドリンク情報伝送方法の実施例の各手順が実現され、同じ技術的効果も達成できるが、重複を回避するために、ここで繰り返して説明しない。そのうち、端末は、無線端末又は有線端末であってもよい。無線端末は、音声及び／又は他のサービスデータ接続をユーザに提供するデバイス、無線接続機能を有するハンドヘルドデバイス、又は、無線モデムに接続される他の処理デバイスであってもよい。無線端末は、無線アクセスネットワーク（Ｒａｄｉｏ  Ａｃｃｅｓｓ  Ｎｅｔｗｏｒｋ、ＲＡＮ）を介して、１つ又は複数のコアネットワークと通信してもよい。無線端末は、携帯電話（「セルラ」フォンとも称される）などのモバイル端末、モバイル端末を有するコンピュータであってもよく、例えば、ポータブル、ポケットサイズ、ハンドヘルド、コンピュータ内蔵又は車載のモバイル装置であってもよく、それらは、無線アクセスネットワークと音声及び／又はデータを交換する。例えば、無線端末は、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッションイニシエーションプロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局又はパーソナルデジタルアシスタント（Ｐｅｒｓｏｎａｌ  Ｄｉｇｉｔａｌ  Ａｓｓｉｓｔａｎｔ、ＰＤＡ）などのデバイスであってもよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）又はユーザデバイス（Ｕｓｅｒ  Ｄｅｖｉｃｅ又はＵｓｅｒ  Ｅｑｕｉｐｍｅｎｔ）と称されてもよいが、ここで限定しない。
【０１２４】
本開示の実施例は、コンピュータプログラムを記憶したコンピュータ読取可能な記憶媒体を更に提供しており、当該コンピュータプログラムがプロセッサによって実行されると、上記サイドリンク情報伝送方法の実施例の各手順が実現され、同じ技術的効果も達成できるが、重複を回避するために、ここで繰り返して説明しない。そのうち、前記コンピュータ読取可能な記憶媒体は、例えば読取専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等である。
【０１２５】
当業者であれば、本明細書に開示の実施例と併せて説明した各例におけるユニット及びアルゴリズムステップは、電子ハードウェア、又はコンピュータソフトウェアと電子ハードウェアとの組合せによって実装できることに気づき得る。これらの機能がハードウェアによって実装されるか、それともソフトウェアによって実装されるかは、技術案の特定適用及び設計制約用件に依存する。当業者は、特定の適用ごとに、説明した機能を実装するために異なる方法を使用し得るが、このような実装形態は、本開示の範囲外と見なされるべきではない。
【０１２６】
説明の便宜及び簡潔のために、上記のシステム、装置及びユニットの具体的な作業手順については、上記の方法実施例における対応する手順を参照することができ、ここでは、繰り返して説明しないことを当業者には明確に理解されよう。
【０１２７】
本願による実施例において、開示された装置及び方法が他の方式で実装され得ることを理解されたい。例えば、上記で説明した装置実施例は、例示的なものに過ぎない。例えば、前記ユニットの分割は、論理機能での分割に過ぎず、実際の実現のとき、他の分割方式もあり得る。例えば、複数のユニット又はコンポーネントは、別のシステムに組み合わされるか、或いは統合されてもよいし、いくつかの特徴が無視されるか、或いは実装されなくてもよい。さらに、掲示又は説明した相互結合、直接結合又は通信接続は、いくつかのインターフェースを用いて実装されてもよい。装置間又はユニット間の間接結合又は通信接続は、電子的な形態、機械的な形態、又は他の形態であってもよい。
【０１２８】
別個の部品として説明したユニットは、物理的に分離されていても、そうでなくてもよく、ユニットとして掲示した部品は、物理的なユニットであっても、そうでなくてもよく、同じ場所に位置してもよいし、複数のネットワークユニットに分散されてもよい。本実施例に係る技術案の目的を達成するために、実際のニーズに応じて、一部又は全てのユニットを選択すればよい。
【０１２９】
また、本開示の各実施例における各機能ユニットは、１つの処理ユニットに統合されてもよいし、各ユニットは、物理的に単独で存在してもよく、更に、２つ以上のユニットは、１つのユニットに統合されてもよい。
【０１３０】
上記機能は、ソフトウェア機能ユニットの形で実装され、独立した製品として販売又は使用される場合、コンピュータ読取可能な記憶媒体に記憶されてもよい。このような理解に基づいて、本開示の技術案の本質的部分、又は関連技術に対する貢献をもたらす部分、又は当該技術案の部分は、ソフトウェア製品の形で具現化することができる。当該コンピュータソフトウェア製品は、記憶媒体に記憶され、本開示の各実施例に記載の方法における全て又は一部のステップを、コンピュータデバイス（パーソナルコンピュータ、サーバ、又はネットワークデバイスであり得る）に実行させるためのいくつかのコマンドを含む。上記の記憶媒体は、ＵＳＢフラッシュドライブ、ポータブルハードディスク、ＲＯＭ、ＲＡＭ、磁気ディスク、又は光ディスクなどのプログラムコードを記憶することができるあらゆる媒体を含む。
【０１３１】
なお、本開示の装置及び方法において、明らかなことに、各部品又は各ステップは、分解および／又は再度の組み合わせが可能である。これらの分解および／又は再度の組み合わせは、本開示の同等技術案と見なされるべきである。そして、上記一連の処理を実行するステップは、自然に説明順の通りに時間順で実行されてもよいが、必ず時間順で実行される必要がない。一部のステップは、並行に実行されてもよく、又は、互いに独立して実行されてもよい。当業者であれば理解できるように、本開示の方法および装置の全て又は任意のステップや部品は、任意の計算装置（プロセッサ、記憶媒体などを含む）や計算装置のネットワークにおいて、ハードウェア、ファームウェア、ソフトウェア又はそれらの組み合わせによって実現され得る。これは、当業者が本開示の説明を閲読した上で、自らの基本的なプログラミング技能を活用して実現できることである。
【０１３２】
したがって、本開示の目的は、任意の計算装置で１つ又は一連のプログラムを実行することによっても実現され得る。前記計算装置は、周知の汎用装置であってもよい。したがって、本開示の目的は、前記方法又は装置を実現するプログラムコードを含むプログラム製品の提供のみでも実現され得る。つまり、このようなプログラム製品も本開示を構成し、しかもこのようなプログラム製品を記憶した記憶媒体も本開示を構成する。明らかなことに、前記記憶媒体は、任意の周知の記憶媒体又は将来開発されうる任意の記憶媒体であってもよい。なお、本開示の装置及び方法において、各部品又は各ステップは、分解および／又は再度の組み合わせが可能である。これらの分解および／又は再度の組み合わせは、本開示の同等技術案と見なされるべきである。そして、上記一連の処理を実行するステップは、自然に説明順の通りに時間順で実行されてもよいが、必ず時間順で実行される必要がない。一部のステップは、並行に実行されてもよく、又は、互いに独立して実行されてもよい。
【０１３３】
上述したのは、本開示の選択的な実施形態であり、注意すべきことは、当業者にとって、本開示に記載の原理を逸脱しない前提で、若干の改良及び潤色を更に行うことが可能であり、これらの改良及び潤色も本開示の保護範囲内であると見なされるべきである。
【図１】
2021532690.tif 000003
【図２】
2021532690.tif 000004
【図３】
2021532690.tif 000005
【図４】
2021532690.tif 000006
【図５】
2021532690.tif 000007
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
第一端末側に適用されるサイドリンク情報伝送方法であって、
サイドリンク制御情報（ＳＣＩ）を受信することと、
前記ＳＣＩにより指示されたサイドリンク伝送識別子に従って、物理サイドリンク共有チャネル（ＰＳＳＣＨ）を受信又は復調するかどうかを確定することとを含み、
前記サイドリンク伝送識別子は、レイヤ２識別子、アプリケーションレイヤ識別子及びアドレス識別子のうち、少なくとも１つにおける少なくとも一部のビットに従って確定されたものである、サイドリンク情報伝送方法。
【請求項２】
前記サイドリンク伝送識別子には、送信端識別子、受信端識別子、ブロードキャスト識別子、マルチキャスト識別子及びユニキャスト識別子のうち、少なくとも１つが含まれる、請求項１に記載のサイドリンク情報伝送方法。
【請求項３】
前記ＳＣＩにより指示されたサイドリンク伝送識別子に従って、物理サイドリンク共有チャネルＰＳＳＣＨを受信又は復調するかどうかを確定することは、
前記ＳＣＩにより指示された送信端識別子がターゲット送信端識別子の場合、前記ＰＳＳＣＨを受信又は復調することと、
前記ＳＣＩにより指示された受信端識別子がターゲット受信端識別子の場合、前記ＰＳＳＣＨを受信又は復調することと、
前記ＳＣＩがブロードキャスト識別子を指示している場合、前記ＰＳＳＣＨを受信又は復調することと、
前記ＳＣＩにより指示されたマルチキャスト識別子がターゲットマルチキャスト識別子の場合、前記ＰＳＳＣＨを受信又は復調することと、
前記ＳＣＩにより指示されたユニキャスト識別子がターゲットユニキャスト識別子の場合、前記ＰＳＳＣＨを受信又は復調することとのうち、１つを含む、請求項２に記載のサイドリンク情報伝送方法。
【請求項４】
前記サイドリンク伝送識別子は、前記ＳＣＩの指示フィールドに搬送されているか、或いは、前記サイドリンク伝送識別子は、前記ＳＣＩのスクランブル用の巡回冗長チェック（ＣＲＣ）であり、
前記指示フィールドには、
前記サイドリンク伝送識別子における少なくとも一部のビットによって形成された第一指示フィールドと、
所定ルールに従って構築された所定ビット数の第二指示フィールドとのうち、１つが含まれる、請求項１に記載のサイドリンク情報伝送方法。
【請求項５】
前記ＳＣＩにより指示されたサイドリンク伝送識別子に従って、物理サイドリンク共有チャネルＰＳＳＣＨを受信又は復調するかどうかを確定することの後には、
前記ＰＳＳＣＨを受信又は復調しないことを確定した場合、前記ＳＣＩによりスケジュール又は予約されたリソースに従って、リソース検知及び／又はリソース予約を行うこと、
又は、
前記ＰＳＳＣＨを受信又は復調することを確定した場合、ＰＳＳＣＨの処理結果に従って、応答情報をフィードバックすることを更に含む、請求項１に記載のサイドリンク情報伝送方法。
【請求項６】
第一端末となる端末であって、
サイドリンク制御情報（ＳＣＩ）を受信するための受信モジュールと、
前記ＳＣＩにより指示されたサイドリンク伝送識別子に従って、物理サイドリンク共有チャネル（ＰＳＳＣＨ）を受信又は復調するかどうかを確定するための第一処理モジュールとを含み、
前記サイドリンク伝送識別子は、レイヤ２識別子、アプリケーションレイヤ識別子及びアドレス識別子のうち、少なくとも１つにおける少なくとも一部のビットに従って確定されたものである、端末。
【請求項７】
前記サイドリンク伝送識別子には、送信端識別子、受信端識別子、ブロードキャスト識別子、マルチキャスト識別子及びユニキャスト識別子のうち、少なくとも１つが含まれる、請求項６に記載の端末。
【請求項８】
前記第一処理モジュールは、
前記ＳＣＩにより指示された送信端識別子がターゲット送信端識別子の場合、前記ＰＳＳＣＨを受信又は復調する第一処理サブモジュールと、
前記ＳＣＩにより指示された受信端識別子がターゲット受信端識別子の場合、前記ＰＳＳＣＨを受信又は復調する第二処理サブモジュールと、
前記ＳＣＩがブロードキャスト識別子を指示している場合、前記ＰＳＳＣＨを受信又は復調する第三処理サブモジュールと、
前記ＳＣＩにより指示されたマルチキャスト識別子がターゲットマルチキャスト識別子の場合、前記ＰＳＳＣＨを受信又は復調する第四処理サブモジュールと、
前記ＳＣＩにより指示されたユニキャスト識別子がターゲットユニキャスト識別子の場合、前記ＰＳＳＣＨを受信又は復調する第五処理サブモジュールとのうち、１つを含む、請求項７に記載の端末。
【請求項９】
前記サイドリンク伝送識別子は、前記ＳＣＩの指示フィールドに搬送されているか、或いは、前記サイドリンク伝送識別子は、前記ＳＣＩのスクランブル用の巡回冗長チェック（ＣＲＣ）であり、
前記指示フィールドには、
前記サイドリンク伝送識別子における少なくとも一部のビットによって形成された第一指示フィールドと、
所定ルールに従って構築された所定ビット数の第二指示フィールドとのうち、１つが含まれる、請求項６に記載の端末。
【請求項１０】
前記指示フィールドは、応答情報と、ハイブリッド自動再送要求（ＨＡＲＱ）プロセス番号と、リソース割当と、変調及び符号化スキーム（ＭＣＳ）とのうち、少なくとも１つを指示するために更に用いられる、請求項９に記載の端末。
【請求項１１】
前記ＰＳＳＣＨを受信又は復調しないことを確定した場合、前記ＳＣＩによりスケジュール又は予約されたリソースに従って、リソース検知及び／又はリソース予約を行う第二処理モジュール、又は、
前記ＰＳＳＣＨを受信又は復調することを確定した場合、ＰＳＳＣＨの処理結果に従って、応答情報をフィードバックする第三処理モジュールを更に含む、請求項６に記載の端末。
【請求項１２】
第二端末となる端末であって、
サイドリンク伝送識別子を指示するためのサイドリンク制御情報（ＳＣＩ）を送信するための送信モジュールを含み、
前記サイドリンク伝送識別子は、レイヤ２識別子、アプリケーションレイヤ識別子及びアドレス識別子のうち、少なくとも１つにおける少なくとも一部のビットに従って確定されたものである、端末。
【請求項１３】
前記サイドリンク伝送識別子には、送信端識別子、受信端識別子、ブロードキャスト識別子、マルチキャスト識別子及びユニキャスト識別子のうち、少なくとも１つが含まれる、請求項１２に記載の端末。
【請求項１４】
前記サイドリンク伝送識別子は、前記ＳＣＩの指示フィールドに搬送されているか、或いは、前記サイドリンク伝送識別子は、前記ＳＣＩのスクランブル用の巡回冗長チェック（ＣＲＣ）である、請求項１２に記載の端末。
【請求項１５】
前記ＳＣＩの指示フィールドには、
前記サイドリンク伝送識別子における少なくとも一部のビットによって形成された第一指示フィールドと、
所定ルールに従って構築された所定ビット数の第二指示フィールドとのうち、１つが含まれる、請求項１２に記載の端末。
【国際調査報告】
2021532690.tif 000008
2021532690.tif 000009
2021532690.tif 000010
2021532690.tif 000011